(57)【要約】      （修正有）【課題】調理時の使い勝手を向上した誘導加熱調理器を提供する。【解決手段】本体の上面に鍋を載置するトッププレートを配置し、本体の内部には、鍋を加熱する誘導加熱コイルと、トッププレート越しに鍋の鍋底の温度を検知する温度検出器と、誘導加熱コイルに電力を供給するインバータ電源と、鍋の温度を設定する操作部と、操作部で設定された温度に鍋の温度を維持するため、温度検出器の検出結果に基づいてインバータ電源を制御して誘導加熱コイルに電力を供給する制御手段と、を備え、制御手段は、揚げ物調理を開始し温度検出器の検出温度が制御温度に到達して適温報知した後に、誘導加熱コイルに電力を供給した状態でも温度検出器の検知温度が下降する現象を検出できない場合は調理を停止するものである。【選択図】図３
2012059478.tif 000002
【特許請求の範囲】
【請求項１】
本体の上面に鍋を載置するトッププレートを配置し、前記本体の内部には、前記鍋を加熱する誘導加熱コイルと、前記トッププレート越しに前記鍋の鍋底の温度を検知する温度検出器と、前記誘導加熱コイルに電力を供給するインバータ電源と、前記鍋の温度を設定する操作部と、該操作部で設定された温度に前記鍋の温度を維持するため、前記温度検出器の検出結果に基づいて前記インバータ電源を制御して前記誘導加熱コイルに電力を供給する制御手段と、を備え、
前記制御手段は、調理を開始し前記温度検出器の検出温度が制御温度に到達して適温報知した後に、前記誘導加熱コイルに電力を供給した状態でも前記温度検出器の検知温度が下降する現象を検出できない場合は調理を停止することを特徴とする誘導加熱調理器。
【発明の詳細な説明】
【技術分野】
【０００１】
本発明は、誘導加熱調理器に関する。
【背景技術】
【０００２】
従来の誘導加熱調理器として、油の温度やフライパン（鍋）の温度を設定しその温度を維持する調理において、設定温度に到達すると鍋の予熱が終了したことを適温報知によって知らせ、設定温度に到達した後は鍋の温度を適温に維持する最低限の火力で加熱を制御し、火力設定手段より火力が入力されると入力した火力で鍋を加熱し、適温報知後、一定時間内に火力設定手段より入力が無い場合、前記最低限の火力による加熱を停止するようにしたものがある（特許文献１）。
【先行技術文献】
【特許文献】
【０００３】
【特許文献１】特開２００８−３１１０００号公報
【発明の概要】
【発明が解決しようとする課題】
【０００４】
特許文献１の誘導加熱調理器は、適温報知後に改めて火力を設定することで、調理の継続を確認し加熱を続行されるようになっている。しかし、適温報知前後は、加熱する食材の準備をしたり、適温報知後は準備した食材をフライパン（鍋）に入れたりと何かと忙しい時期でもある。そのため、適温報知後のタイミングで火力設定手段により火力を改めて設定することは面倒であり、また、設定を忘れかねない課題がある。
【課題を解決するための手段】
【０００５】
上記課題を解決するため、本体の上面に鍋を載置するトッププレートを配置し、前記本体の内部には、前記鍋を加熱する誘導加熱コイルと、前記トッププレート越しに前記鍋の鍋底の温度を検知する温度検出器と、前記誘導加熱コイルに電力を供給するインバータ電源と、前記鍋の温度を設定する操作部と、該操作部で設定された温度に前記鍋の温度を維持するため、前記温度検出器の検出結果に基づいて前記インバータ電源を制御して前記誘導加熱コイルに電力を供給する制御手段と、を備え、前記制御手段は、揚げ物調理を開始し前記温度検出器の検出温度が制御温度に到達して適温報知した後に、前記誘導加熱コイルに電力を供給した状態でも前記温度検出器の検知温度が下降する現象を検出できない場合は調理を停止するものである。
【発明の効果】
【０００６】
本発明によれば、適温報知後に食品などの調理物を投入して鍋の鍋底の温度が低下するのを検出することで、調理の継続を確認し加熱を続行させることで使い勝手を良くした。
【図面の簡単な説明】
【０００７】
【図１】一実施例の誘導加熱調理器の外観斜視図である。
【図２】一実施例の誘導加熱調理器の回路構成を示すブロック図である。
【図３】一実施例の揚げ物制御時における温度と電力を示すチャート図である。
【発明を実施するための形態】
【０００８】
本発明の一実施例を上記した図面に基づいて詳細に説明する。
【０００９】
図１において、１は誘導加熱調理器の本体でありシステムキッチン１ａに組み込まれた状態を示す。２は本体１の上面に配されたトッププレートであり、耐熱性の高い結晶化ガラスで構成されている。円状破線３，４，５は、鍋６等の調理器具を載せる位置を示す載置部で、この載置部３，４，５に載せられた調理器具はトッププレート２の下に設けられた誘導加熱コイル１３（図２）または加熱式円形ヒータからの作用により加熱される。
【００１０】
７は本体１の前面左側に設けられたグリル部で、魚やパン，ピザなどを焼くときに用いる。８は本体１の前面右側に設けられた操作部で、加熱部である誘導加熱コイル１３やグリル部７の加熱条件を設定するキーを備えている。その設定するキーの中には、天ぷらなど油で食品を揚げるために鍋６内の油の温度やフライパンの温度を設定できる機能を選択できるようにしてある。ここでは操作部８は本体１の前面右側に設けたものとするが本体の前面上部に設ける構成としても良い。９は操作部８に設けられたメインスイッチで、誘導加熱調理器全体の電源をオンオフする。
【００１１】
１０は表示部で、操作部８で設定された内容や載置部３，４，５の下に設けられた誘導加熱コイル１３の通電状態を表示するものである。１１は本体１の右側後方に設けられた吸気口で、本体１の内部に冷却用空気を吸引する。１２は本体１の左側後方に設けられた排気口で、グリル部７からの排気や本体１の内部を冷却した廃熱を排出する。
【００１２】
次に、図２を用いて一実施例の誘導加熱調理器の回路構成を説明する。なお、ここでは鍋６に５００ｇ程度の油が入れられているものとする。
【００１３】
図２において、１３はトッププレート２の下に設けられた誘導加熱コイルであり、磁力線の働きで鍋６の鍋底表面にうず電流を発生させることで鍋６を加熱し、鍋６内の油の温度を上昇させる。１４はトッププレート２の裏面に接触するように設けられた温度検出器であり、トッププレート２を介して鍋６の鍋底の温度を検出する。なお、鍋６に油を入れて温度を検出している時は、トッププレート２を介して鍋底の温度を間接的に検出するため、温度検出器１４で検出される温度は実際の油温より低い。１６は制御手段１５により誘導加熱コイル１３に電力を供給するインバータ電源である。１５は制御手段で、操作部８で設定された火力になるようにインバータ電源１６を制御して誘導加熱コイル１３へ供給する電力を制御し、また、温度検出器１４の検出温度に応じてインバータ電源１６を制御して誘導加熱コイル１３へ供給する電力を制御する。
【００１４】
次に、図３を用いて、一実施例の誘導加熱調理器の加熱制御について詳細に説明する。
【００１５】
使用者が操作部８を操作して揚げ物（油の設定温度２００℃）の調理がスタートすると、制御手段１５は、油の温度を設定温度の２００℃とするためには、温度検出器１４で検出される温度は実際の油温より低くなる。ここでは、温度検出器１４で検出し制御する制御温度は２００℃より１５℃低い１８５℃としている。温度検出器１４で検出される温度が制御する制御温度（１８５℃）となるようにインバータ電源１６から誘導加熱コイル１３に供給する電力を制御し、温度検出器１４で検出される温度が制御温度と同じになると使用者に設定温度になったことを適温報知によって知らせる。
【００１６】
揚げ物の調理がスタートしたときは、誘導加熱コイル１３に供給される電力は１５００Ｗであるが、その後、温度検出器１４で検出される温度の上昇に伴い制御温度に近づくと電力は１２００Ｗ，１０００Ｗ，５００Ｗ，０Ｗと段階的に下げられる。
【００１７】
温度検出器１４で検出される温度が安定すると、５００Ｗの矩形波の電力（第１の矩形波電力）を誘導加熱コイル１３に供給する。また、使用者に油温が設定温度になったことを知らせる適温報知を行う。適温報知の方法としては、ブザーによる報知の他、音声，ランプの点灯，点滅による報知の何れを用いても良い。
【００１８】
適温報知の後、使用者が食品などの調理物を投入することで油温が急激に下降する。この時、温度検出器１４で検出される温度も下降する。制御手段１５は、温度検出器１４からの信号により鍋底の温度の下降を検知し、制御温度（１８５℃）を維持するように誘導加熱コイル１３に供給する電力を制御する。なお、図に示されるように、使用者が食品などの調理物を油内に投入することで鍋底の温度は急激に下降し誘導加熱コイル１３に供給する電力が５００Ｗでは鍋底の温度は制御温度（１８５℃）を維持できないで更に下降を続けているので、１０００Ｗ，１５００Ｗの電力を供給して鍋底の温度の降下を止めて制御温度（１８５℃）に再上昇させている。
【００１９】
制御手段１５は、５００Ｗの矩形波の電力（第１の矩形波電力）を誘導加熱コイル１３に供給しても温度検出器１４で検出される温度が下降したことを検出した時に調理物が投入されたと判断する。
【００２０】
制御手段１５は、適温報知後のＴ２時間以内に温度検出器１４で検出される温度が下降したことを検出しなかった場合は、調理物が投入されなかったと判断し、誘導加熱コイル１３への電力の供給を止めて設定された揚げ物調理を停止する。
【００２１】
しかし、制御手段１５は、Ｔ２時間以内に温度検出器１４で検出される温度が下降したことを検出した場合は、調理物が投入されたと判断し、調理中と判断して設定された揚げ物調理を継続する。
【００２２】
同様に繰り返して調理物を投入した場合は、制御手段１５が調理物の投入と判断される温度の下降を最後に検出した時から再度時間をカウントしＴ３時間以内に調理物の投入と判断する下降を検知した場合は更に調理を継続し、Ｔ３時間以内に調理物の投入と判断される温度の下降を検知しなければ調理を終了する。
【００２３】
尚、ここでは揚げ物調理を例に挙げたが、フライパンの温度を制御しながら調理する場合も同様である。
【００２４】
上記した本実施例によれば、適温報知後に食品などの調理物を投入して鍋の鍋底の温度が低下するのを検出することで、調理の継続を確認し加熱を続行させることで使い勝手を良くできる。
【符号の説明】
【００２５】
１  本体
２  トッププレート
６  鍋
８  操作部
１０  表示部
１３  誘導加熱コイル
１４  温度検出器
１５  制御手段
１６  インバータ電源
【図１】
2012059478.tif 000003
【図２】
2012059478.tif 000004
【図３】
2012059478.tif 000005